(57)【要約】【課題】部品点数および組立て工数が少なく、しかもエスカッションが機器本体またはサブパネルにガタツなく取付けられる電子機器のエスカション取付構造を提供する。【解決手段】エスカッション２の外枠後端部の一部に複数のリブ２ｂ、２ｂ…を設け、機器本体１に前記リブ２ｂ、２ｂ…と嵌合する凹み１ａ、１ａ…を設け、これらのリブ２ｂ、２ｂ…と凹み１ａ、１ａ…の嵌合によりエスカッション２の機器本体１に対する左右上下方向の位置決めを行うと共に、エスカッション２の外枠後端部の他部に設けた弾性変形可能なフック２ｂ、２ｂ…を本体機器１に設けた穴１ｂ、１ｂ…と係止させることによりエスカッション２を機器本体１に取付ける。【選択図】図１
2007208090.tif 000002
【特許請求の範囲】
【請求項１】
エスカッションの外枠後端部の一部に複数のリブまたは凹みを設け、機器本体に前記リブまたは凹みと嵌合する凹みまたはリブを設け、これらのリブまたは凹みの嵌合によりエスカッションの機器本体に対する左右上下方向の位置決めを行うと共に、エスカッションの外枠後端部の他部に設けた弾性変形可能なフックを本体機器に設けた凹みまたは穴と係止させることによりエスカッションを機器本体に取付けることを特徴とする電子機器のエスカション取付構造。
【請求項２】
前記エスカッションのリブまたは凹みは外枠後端部の上下および左右に夫々少なくとも１個設けられている請求項１の電子機器のエスカション取付構造。
【請求項３】
エスカッションの外枠後端部の一部に複数のリブまたは凹みを設け、サブパネルに前記リブまたは凹みと嵌合する凹みまたはリブを設け、これらのリブまたは凹みの嵌合によりエスカッションのサブパネルに対する左右上下方向の位置決めを行うと共に、エスカッションの外枠後端部の他部に設けた弾性変形可能なフックをサブパネルに設けた凹みまたは穴と係止させることによりエスカッションをサブパネルに取付けることを特徴とする電子機器のエスカション取付構造。。
【請求項４】
前記エスカッションのリブまたは凹みは外枠後端部の上下および左右に夫々少なくとも１個設けられている請求項３の電子機器のエスカション取付構造。
【発明の詳細な説明】
【技術分野】
【０００１】
この発明は電子機器に係わり、特に、そのエスカション取付構造に関する。
【背景技術】
【０００２】
従来の電子機器のエスカション取付構造の例を図４により説明する。図４に示す機器本体８の上面および下面の前側には穴８ａ、８ａ…が設けられているが、下面の穴８ａ、８ａは図４に見えていない。機器本体８の前面にはサブパネル３が固定されている。サブパネル３には操作つまみ、表示部、記録媒体挿入口等が設けられているが、図４ではこれらの図示を省略している。
【０００３】
サブパネル３の周囲に配置されるエスカション（飾り枠）９の外枠後端部の上下には弾性変形可能なフック９ａ、９ａ…が一体に形成されている。なお、下側のフック９ａ、９ａは図４には見えていない。Ｌ字形のフック９ａの先端内側の面は傾斜しており、エスカション９を機器本体８に向けて押し込むとフック９ａは弾性変形した後、元に戻りフック９ａ、９ａ…の先端が機器本体８の穴８ａ、８ａ…に入り込みエスカション９が機器本体８に取付けられる。
【０００４】
上記した従来のエスカション取付構造ではエスカション９を押し込むだけでワンタッチで取付けることができるが、弾性変形可能なフック９ａでは横方向（図示のＸ方向）および上下方向（図示のＹ方向）のガタツキが避けられず、エスカション９がサブパネル３側に偏ることがあった。
【０００５】
特開２００３−１９８１５４号公報に提案された電子機器の筐体では、枠体であるパネル枠２１の裏面には中央開口部２２の全周に亘って溝２４が形成されている。そして、シャーシ３を溝２４に嵌め込むことによりパネル枠２１がシャーシ３に対して位置決めされる。この電子機器の筐体では、パネル枠２１とシャーシ３との間のガタツキはなくなるがシャーシ３と溝２４との嵌合のみではパネル枠２１がシャーシ３に係止されないため、パネル枠２１をシャーシ３に所用箇所でねじ止めしなければならず、部品点数および組立て工数が増大するという問題があった。
【０００６】
実用新案登録第３０７４５０８号公報に提案された音響機器類のキャビネットは、リアキャビネット２の前端の上辺と左右の側辺とに亘って具備された突出片２１をフロントキャビネット１の後端の開口縁部の内側に嵌合させる。
【０００７】
この音響機器類のキャビネットでは、リアキャビネット２とフロントキャビネット１との間のガタツキはなくなるがリアキャビネット２の突出片２１とフロントキャビネット１の後端の開口縁部との嵌合のみではフロントキャビネット１がリアキャビネット２に係止されないため、フロントキャビネット１をリアキャビネット２に所用箇所でねじ止めしなければならず、部品点数および組立て工数が増大するという問題があった。
【特許文献１】特開２００３−１９８１５４号公報、段落００１３〜段落００１６、図１、図２
【特許文献２】実用新案登録第３０７４５０８号公報、段落００２２、図１、図２、図３
【発明の開示】
【発明が解決しようとする課題】
【０００８】
この発明は上記した点に鑑みてなされたものであって、その目的とするところは、部品点数および組立て工数が少なく、しかもエスカッションが機器本体またはサブパネルにガタツなく取付けられる電子機器のエスカション取付構造を提供することにある。
【課題を解決するための手段】
【０００９】
この発明の電子機器のエスカション取付構造は、エスカッションの外枠後端部の一部に複数のリブまたは凹みを設け、機器本体に前記リブまたは凹みと嵌合する凹みまたはリブを設け、これらのリブまたは凹みの嵌合によりエスカッションの機器本体に対する左右上下方向の位置決めを行うと共に、エスカッションの外枠後端部の他部に設けた弾性変形可能なフックを本体機器に設けた凹みまたは穴と係止させることによりエスカッションを機器本体に取付けるものである。
【００１０】
また、この発明の電子機器のエスカション取付構造は、前記取付構造において、前記エスカッションのリブまたは凹みが外枠後端部の上下および左右に夫々少なくとも１個設けられているものである。
【００１１】
さらに、この発明の電子機器のエスカション取付構造は、エスカッションの外枠後端部の一部に複数のリブまたは凹みを設け、サブパネルに前記リブまたは凹みと嵌合する凹みまたはリブを設け、これらのリブまたは凹みの嵌合によりエスカッションのサブパネルに対する左右上下方向の位置決めを行うと共に、エスカッションの外枠後端部の他部に設けた弾性変形可能なフックをサブパネルに設けた凹みまたは穴と係止させることによりエスカッションをサブパネルに取付けるものである。
【００１２】
また、この発明の電子機器のエスカション取付構造は、前記取付構造において、前記エスカッションのリブまたは凹みが外枠後端部の上下および左右に夫々少なくとも１個設けられているものである。
【００１３】
たものである。
【発明の効果】
【００１４】
この発明の電子機器のエスカション取付構造によれば、部品点数および組立て工数が少なく、しかもエスカッションが機器本体またはサブパネルにガタツなく取付けられる。そして、機器本体に取付けられ、サブパネルの周囲を覆うエスカッションが偏ってサブパネルと接触することが防止される。
【発明を実施するための最良の形態】
【００１５】
以下この発明を実施するための最良の形態を実施例に即して説明する。
【実施例１】
【００１６】
図１はこの発明の実施例１である電子機器のエスカション取付構造を示す分解斜視図である。図１に示す機器本体１の上面、下面および左右側面の前側には凹み１ａ、１ａ…が設けられ、機器本体１の上面および下面の前端近傍には穴１ｂ、１ｂ…が設けられている。なお、下面の穴１ｂ、１ｂは図１に見えていない。機器本体１の前面にはサブパネル３が固定されている。サブパネル３には操作つまみ、表示部、記録媒体挿入口等が設けられているが、図１ではこれらの図示を省略している。
【００１７】
サブパネル３の周囲に配置されるエスカション２の外枠後端部の上下左右には断面長方形状のリブ２ａ、２ａ…が一体に形成されている。さらに、エスカション２の外枠後端部の上下には弾性変形可能なフック２ｂ、２ｂ…が一体に形成されている。
【００１８】
Ｌ字形のフック２ｂの先端内側の面は傾斜しており、エスカション２を機器本体１に向けて矢印方向に押し込むとフック２ｂは弾性変形した後、元に戻りフック２ｂ、２ｂ…の先端が機器本体１の穴１ｂ、１ｂ…に入り込みエスカション２が機器本体１に取付けられる。
【００１９】
このとき、エスカション２のリブ２ａ、２ａ…が機器本体１の凹み１ａ、１ａ…に入り込みエスカション２が機器本体１に対して左右上下方向に位置決めされる。リブ２ａ、２ａ…に傾斜面を設けることにより組立てを容易にすることができる。このようにしてエスカション２を押し込むだけでワンタッチで機器本体１にガタツキなく取付けることができる。そして、機器本体１に取付けられ、サブパネル３の周囲を覆うエスカッション２が偏ってサブパネル３と接触することが防止される。
【実施例２】
【００２０】
図２はこの発明の実施例２である電子機器のエスカション取付構造を示す分解斜視図である。図２に示す機器本体４の前側の上下左右には断面長方形状のリブ４ａ、４ａ…が一体に形成されている。なお、左側および下側のリブ４ａ、４ａは図１に見えていない。さらに、機器本体４の上面および下面の前端近傍には穴４ｂ、４ｂ…が設けられているが、下面の穴４ｂ、４ｂは図１に見えていない。機器本体１の前面にはサブパネル３が固定されている。サブパネル３には操作つまみ、表示部、記録媒体挿入口等が設けられているが、図２ではこれらの図示を省略している。
【００２１】
サブパネル３の周囲に配置されるエスカション５の外枠後端部の上下左右には凹み５ａ、５ａ…が設けられている。さらに、エスカション５の外枠後端部の上下には弾性変形可能なフック５ｂ、５ｂ…が一体に形成されている。
【００２２】
Ｌ字形のフック５ｂの先端内側の面は傾斜しており、エスカション５を機器本体４に向けて矢印方向に押し込むとフック５ｂは弾性変形した後、元に戻りフック５ｂ、５ｂ…の先端が機器本体４の穴４ｂ、４ｂ…に入り込みエスカション５が機器本体４に取付けられる。
【００２３】
このとき、機器本体４のリブ４ａ、４ａ…がエスカッション５の凹み５ａ、５ａ…に入り込みエスカション５が機器本体４に対して左右上下方向に位置決めされる。リブ４ａ、４ａ…に傾斜面を設けることにより組立てを容易にすることができる。このようにエスカション５を押し込むだけでワンタッチで機器本体４にガタツキなく取付けることができる。そして、機器本体４に取付けられ、サブパネル３の周囲を覆うエスカッション５が偏ってサブパネル３と接触することが防止される。
【実施例３】
【００２４】
図３はこの発明の実施例３である電子機器のエスカション取付構造を示す分解斜視図である。図３に示す機器本体６の前面の上下左右には円形の凹み６ａ、６ａ…が設けられ、機器本体６の上面および下面の前端近傍には穴６ｂ、６ｂ…が設けられている。なお、下面の穴６ｂ、６ｂは図３に見えていない。機器本体６の前面にはサブパネル３が固定されている。サブパネル３には操作つまみ、表示部、記録媒体挿入口等が設けられているが、図３ではこれらの図示を省略している。
【００２５】
サブパネル３の周囲に配置されるエスカション７の外枠後端部の上下左右には断面円形のリブ７ａ、７ａ…が一体に形成されている。さらに、エスカション７の外枠後端部の上下には弾性変形可能なフック７ｂ、７ｂ…が一体に形成されている。
【００２６】
Ｌ字形のフック７ｂの先端内側の面は傾斜しており、エスカション７を機器本体１に向けて矢印方向に押し込むとフック７ｂは弾性変形した後、元に戻りフック７ｂ、７ｂ…の先端が機器本体６の穴６ｂ、６ｂ…に入り込みエスカション７が機器本体６に取付けられる。
【００２７】
このとき、エスカション７のリブ７ａ、７ａ…が機器本体６の凹み６ａ、６ａ…に入り込みエスカション７が機器本体６に対して左右上下方向に位置決めされる。リブ７ａ、７ａ…はテーパ状とすることにより組立てを容易にすることができる。このようにしてエスカション７を押し込むだけでワンタッチで機器本体６にガタツキなく取付けることができる。そして、機器本体６に取付けられ、サブパネル３の周囲を覆うエスカッション７が偏ってサブパネル３と接触することが防止される。
【００２８】
実施例は以上のように構成されているが発明はこれに限られず、例えば、サブパネルにエスカッションのリブまたは凹みと嵌合する凹みまたはリブと、エスカッションのフックと嵌合する凹みまたは穴を設け、エスカッションをサブパネルに取付けるようにしてもよい。この場合はサブパネルを可動式としてもエスカッションとサブパネルとの間にガタツキがないため、エスカッションが動いても固定部分と干渉することが防止できる。
【図面の簡単な説明】
【００２９】
【図１】この発明の実施例１である電子機器のエスカション取付構造を示す分解斜視図である。
【図２】この発明の実施例２である電子機器のエスカション取付構造を示す分解斜視図である。
【図３】この発明の実施例３である電子機器のエスカション取付構造を示す分解斜視図である。
【図４】従来の電子機器のエスカション取付構造の例を示す斜視図である。
【符号の説明】
【００３０】
１  機器本体、１ａ  凹み、１ｂ  穴
２  エスカッション、２ａ  リブ、２ｂ  フック
３  サブパネル
４  機器本体、４ａ  リブ、４ｂ  穴
５  エスカッション、５ａ  凹み、５ｂ  フック
６  機器本体、６ａ  凹み、６ｂ  穴
７  エスカッション、７ａ  リブ、７ｂ  フック
８  機器本体、８ａ  穴
９  エスカッション、９ａ  フック
【図１】
2007208090.tif 000003
【図２】
2007208090.tif 000004
【図３】
2007208090.tif 000005
【図４】
2007208090.tif 000006